【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
複数の骨セグメントを操作するための器具であって、
第１ハンドルと第２ハンドルが一緒にピボット回転可能なように連結されている作動端と、
第１係合アームと第２係合アームが設けられている係合端とを備えており、
第１係合アームは、その第１端が第１ハンドルに連結されており、その第２端は骨締め具の少なくとも一部を受け入れる形状に設定されており、
第２係合アームはその第１端が第２ハンドルに連結されており、その第２端は骨プレートに係合する形状に設定されており、
第１係合アームの第２端は少なくとも第１の横方向側面を有しており、前記横側面には骨締め具の少なくとも一部を受け入れる形状に設定された第１凹部が設けられている、
ことを特徴とする器具。
【請求項２】
前記骨締め具は骨ねじであり、前記第１凹部は骨ねじのヘッド部を受け入れる形状に設定されていることを特徴とする、請求項１に記載の器具。
【請求項３】
前記第１凹部は約0.1 mmから約3.0 mmの深さを有していることを特徴とする、請求項２に記載の器具。
【請求項４】
前記骨締め具は外科手術用ガイドワイヤであり、前記第１係合アームの前記第２端には、ガイドワイヤの少なくとも一部を受け入れる形状に設定された第２凹部が設けられていることを特徴とする、請求項１に記載の器具。
【請求項５】
前記第２凹部は約0.1 mmから約1.8 mmの深さを有していることを特徴とする、請求項４に記載の器具。
【請求項６】
前記第１凹部および前記第２凹部は少なくとも一部が、同一の広がりをもっていることを特徴とする、請求項４に記載の器具。
【請求項７】
前記第２係合アームの前記第２端には、前記骨プレートに係合する形状に設定されたフックが設けられていることを特徴とする、請求項６に記載の器具。
【請求項８】
前記フックは、骨プレートの端面および骨プレートの骨ねじ穴のうちの少なくとも一方に係合する形状に設定されていることを特徴とする、請求項７に記載の器具。
【請求項９】
前記骨締め具は外科手術用ガイドワイヤであり、前記第１の横側面には、前記ガイドワイヤの少なくとも一部を受け入れる形状に設定された第２凹部が設けられていることを特徴とする、請求項８に記載の器具。
【請求項１０】
前記第１係合アームの前記第２端には少なくとも第２の横側面が設けられており、前記横側面には、前記骨締め具の少なくとも一部を受け入れる形状に設定された第１凹部が設けられていることを特徴とする、請求項１に記載の器具。
【請求項１１】
前記骨締め具は骨ねじであることを特徴とする、請求項９に記載の器具。
【請求項１２】
前記第２の横側面の前記第１凹部は前記骨ねじのヘッド部を受け入れる形状に設定されていることを特徴とする、請求項１０に記載の器具。
【請求項１３】
前記第１ハンドルと前記第２ハンドルは各々が前記第１係合アームと前記第２係合アームのうちの一方に連結されて、第１ハンドルおよび第２ハンドルを一緒に引寄せることで第１係合アームおよび第２係合アームを互いに相関的に運動させるようにしたことを特徴とする、請求項１に記載の器具。
【請求項１４】
前記第１係合アームと前記第２係合アームは前記第１ハンドルおよび前記第２ハンドルにそれぞれにピボット回転可能なように連結されていることを特徴とする、請求項１３に記載の器具。
【請求項１５】
前記第１係合アームと前記第２係合アームの間に鋏接合部が配置されており、前記第１ハンドルおよび前記第２ハンドルが動かされた場合に、前記鋏接合部は、両アームを互いに相関的に実質的に平行に向けられた状態に保つように作用することを特徴とする、請求項１４に記載の器具。
【請求項１６】
前記器具は、前記第１ハンドルと前記第２ハンドルを一緒に引寄せた結果として前記第１係合アームと前記第２係合アームが離れる方向に動くような形状に設定されていることを特徴とする、請求項１５に記載の器具。
【請求項１７】
骨折した骨の第１骨セグメントと第２骨セグメントを操作するためのシステムであって、
前記システムは、器具を備えており、
前記器具は、
第１ハンドルおよび第２ハンドルが一緒にピボット回転可能なように連結されている作動端と、
第１係合アームおよび第２係合アームが設けられた係合端とを有しており、
第１係合アームは、その第１端が第１ハンドルに連結されており、その第２端は、そこに設けられた骨締め具の少なくとも一部を受け入れる形状に設定された第１凹部を有しており、
第２係合アームは、その第１端が第２ハンドルに連結されており、その第２端は骨プレートに係合する形状に設定されており、
前記システムは、さらに、
少なくとも1個の骨締め具と、
１個の骨プレートとを更に備えており、
骨締め具が第１骨セグメントと係合し、骨プレートが第２骨セグメントと係合すると、第１係合アームと第２係合アームは締め具および骨プレートと係合できるようになり、第１ハンドルと第２ハンドルを互いに相関的に運動させることで第１骨セグメントと第２骨セグメントを互いに相関的に移動させるようにしたことを特徴とする、システム。
【請求項１８】
前記骨締め具は骨ねじであり、前記第１凹部は骨ねじのヘッド部を受け入れる形状に設定されていることを特徴とする、請求項１７に記載の器具。
【請求項１９】
前記第１凹部は約0.1 mmから約3.0 mmの深さを有していることを特徴とする、請求項１８に記載の器具。
【請求項２０】
前記骨締め具は外科手術用のガイドワイヤであり、前記第１係合アームの前記第２端には、外科手術用のガイドワイヤの少なくとも一部を受け入れる形状に設定された第２凹部が設けられていることを特徴とする、請求項１７に記載の器具。
【請求項２１】
前記第２凹部は約0.1 mmから約1.8 mmの深さを有していることを特徴とする、請求項２０に記載の器具。
【請求項２２】
前記第１凹部および前記第２凹部は少なくとも一部が、同一の広がりをもっていることを特徴とする、請求項２０に記載の器具。
【請求項２３】
前記第２係合アームの前記第２端は、前記骨プレートに係合する形状に設定されたフックであることを特徴とする、請求項２２に記載の器具。
【請求項２４】
前記フックは、骨プレートの端面および骨プレートの骨ねじ穴のうちの少なくとも一方と係合する形状に設定されていることを特徴とする、請求項２３に記載の器具。
【請求項２５】
前記第１係合アームには第１の横側面が設けられており、前記第１凹部は第１の横側面の内側に配置されているとともに前記骨締め具の少なくとも一部を受け入れる形状に設定されていることを特徴とする、請求項１７に記載の器具。
【請求項２６】
前記骨締め具は骨ねじであることを特徴とする、請求項２５に記載の器具
【請求項２７】
前記第１係合アームには第２の横側面が更に設けられていると同時に、前記横側面には前記骨締め具の少なくとも一部を受け入れる形状に設定された第１の凹部が設けられていることを特徴とする、請求項２５に記載の器具。
【請求項２８】
前記骨締め具は骨ねじであり、前記第１の横側面の前記第１凹部と前記第２の横側面の前記第１凹部はねじのヘッドを受け入れる形状に設定されていることを特徴とする、請求項２７に記載の器具。
【請求項２９】
前記骨締め具は外科手術用のガイドワイヤであり、前記第１の横側面と第２の横側面は各々に、外科手術用のガイドワイヤの少なくとも一部を受け入れる形状に設定された第２凹部が設けられていることを特徴とする、請求項２５に記載の器具。
【請求項３０】
前記第１ハンドルおよび前記第２ハンドルは各々が前記第１係合アームおよび前記第２係合アームのうちの一方に連結されて、第１ハンドルと第２ハンドルを一緒に引寄せた結果として、第１係合アームおよび第２係合アームを互いに相関的に運動させるようにしたことを特徴とする、請求項１７に記載の器具。
【請求項３１】
前記第１係合アームと前記第２係合アームは前記第１ハンドルおよび前記第２ハンドルのそれぞれにピボット回転可能なように連結されていることを特徴とする、請求項３０に記載の器具。
【請求項３２】
前記器具は前記第１係合アームと前記第２係合アームの間に鋏接合部が更に配置されており、前記第１ハンドルと前記第２ハンドルが運動させられた場合に、両アームを互いに相関的に実質的に平行に向けられた状態に保つことができるように、前記鋏接合部が作用することを特徴とする、請求項３１に記載の器具。
【請求項３３】
前記器具は、前記第１ハンドルと前記第２ハンドルを一緒に引寄せた結果として前期第１係合アームおよび前記第２係合アームを互いから離れる方向に移動させる形状に設定されていることを特徴とする、請求項３２に記載の器具。